(57)【特許請求の範囲】
【請求項１】
支持金具（１）の正面に筒（２）を取り付け、支持金具（１）の裏面に固着した連結管（５）の先端に蓋（８）と連動するレバー（１０）を設け、前記筒（２）が、バネ線（１８）を螺旋状に曲げた籠（４１）の下端に底板（１２）を固着し、該籠（４１）の外側にシート（１９）を貼り付けて形成されている犬の糞取り器。
【請求項２】
弾性体によるバネ線（１８）を用いて先細りの略卵形に、且つ、螺旋状に曲げ加工し、該バネ線（１８）の上部の２段は互いに平行になるようにしてフレ−ム部分（４４）とし、その湾曲した一端に取り付け部分（４５）を形成して籠（４１）とし、該取り付け部分（４５）を支持金具（１）に取り付た請求項１記載の犬の糞取り器。
【請求項３】
籠（４１）の側面に伸縮性を有するシート（１９）を用いてバネ線（１８）に外圧の作用していない静止した状態、即ち、底板（１２）に荷重を加えない状態で各段のバネ線（１８）相互間に、シート（１９）を、緩んだ形で貼り付けて筒（２）が形成されている請求項１又は２記載の犬の糞取り器。
【発明の詳細な説明】
【０００１】
【発明の属する技術分野】
本発明は、犬の散歩中に犬の糞を、簡便、且つ清潔に処理する器具に関するものである。
【０００２】
【従来の技術】
従来、犬の糞を処理する器具としては小形のスコップのような道具の域を出るものが見当たらず、ビニ−ル袋で掴んで取るような処理が一般的なようであり、人目のない所では糞をそのまう放置してしまう人も少なくない。
【０００３】
【発明が解決しようとする課題】
本発明は、前述のような問題点に鑑みて成されたものであり、伸縮可能な筒の動作によって小型犬から大型犬に至るまで確実に犬の肛門の下方に本器を差し入れる事ができ、又、糞を収納した後も、蓋によって臭気の発生を防ぐ事ができ美観も損なわず、袋止め用板及び袋挟み用リングによって、糞の排出、ビニ−ル袋の交換も簡単に行うことができ、且つ、軽量な器具として提供しようとするものである。
【０００４】
【課題を解決するための手段】
上記の目的を達成するために、支持金具の正面に筒を取り付け、支持金具の裏面に固着した連結管の先端に蓋と連動するレバ−を設け、前記筒が籠、シ−ト及び底板によって形成されて成るものである。
【０００５】
上記の筒の一部を形成する上部二段のバネ線を支持金具に固着することにより筒と連結棒とを接続する枠部分を形成することが可能となり、本器具全体の軽量化に効果がある。
【０００６】
又、筒の伸縮性を損なわないようにするために、シ−トを薄手のものとしたりバネ線の材質及び螺旋状部分の巻き回数を適切なものとすと良い。
【０００７】
そして、小型犬の糞の処理に際しては、肛門の位置も低く、後ろ足の幅も狭いので、筒の前方部分を先細りの略卵形とすると、より効果的である。
【０００８】
又、連結管、連結棒を介して筒と柄が作る角度を適切にすることにより、安定した糞の処理が可能と成る。
【０００９】
【発明の実施の形態】
発明の実施の形態を実施例にもとずき図面を参照して説明する。
図１において、柄１５と筒２が連結管５と連結棒３によって、適切な角度で接続されている。そして蓋８は案内板２３に接続されている。
【００１０】
図２に示される実施例では、レバ−１０及び接続板１１が上部の停止点に位置して、接続棒９の先端に接続された蓋８が閉鎖されている。
【００１１】
図３に示される実施例では、接続棒９の元部分が支持板６に接続され、解放ボタン２８が柄１５に設けられた溝に嵌め込まれている。
【００１２】
図４に示される実施例では、バネ線１８の上部２段がフレ−ム部分４４を形成し、バネ線１８の取り付け部分４５が溝部分２０に嵌め込まれて押さえ板２１によって固定されている。そして袋挟み用リング１４がフレ−ム部分４４に嵌まり込んでいる状態が破線で示されている。
【００１３】
図５に示される実施例では、レバ−１０が爪２５及び止め板２４によって上部の停止点に保たれている。
【００１４】
図６に示される実施例では、湾曲したと取り付け部分４５が溝部分２０に嵌め込まれれて押さえ板２１によって固定されている。そして袋挟み用リング１４がフレ−ム部分４４に嵌まっている状態を破線で示している。
【００１５】
図７に示される実施例では、袋挟み用リング１４が軸受け２２に嵌め込まれて抜け止め用ピン４３によって止められている。そしてスプリング３４が支持板６と接続板１１を接続している。
【００１６】
図８に示される実施例では、取り付け部分４５が支持板１に取り付けられている状態を破線で示している。
【００１７】
図９では、蓋８とレバ−１０の連動する状態が破線で示されている。
【００１８】
図１０では、袋挟み用リング１４がフレ−ム部分４４に嵌め込まれており、上方の破線はその脱着状態を示し、又、下方の破線は筒２が伸長したときの状態を示している。
【００１９】
図１１に示される実施例では、バネ線１８が曲げ加工されてフレ−ム部分４４及び取り付け部分４５が形成されている。
【００２０】
【発明の効果】
本発明は、以上説明したように構成されているので、以下記載されているような効果を得る事ができる。
【００２１】
筒は、柄を持って下方に押しつけると収縮するので、肛門の位置の低い小型犬の糞の処理に適し、又、大型犬の多量の糞を収納する際も、糞の重みによって筒が伸長するので筒から糞が溢れずに処理を行う事ができる。
【図面の簡単な説明】
【図１】  犬の糞取り器の斜視図である。
【図２】  犬の糞取り器の側面図である。
【図３】  犬の糞取り器の平面図である。
【図４】  図３のＢ−Ｂ′線の断面図である。
【図５】  図３のＣ−Ｃ′線の断面図である。
【図６】  図２のＡ−Ａ′線の断面図である。
【図７】  図６のＤ−Ｄ′線の断面図である。
【図８】  図６のＥ−Ｅ′線の断面図である。
【図９】  蓋８、レバ−１０、接続板１１が連動する状態を破線で示した状態図である。
【図１０】  袋挟み用リング１４を脱着させる際の状態、及び、筒２が伸縮する際の状態を破線で示した状態図である。
【図１１】  籠４１の要部斜視図である。
【符号の説明】
１    支持金具
２    筒
３、４    連結棒
５    連結管
６    支持板
７    軸
８    蓋
９    接続棒
１０  レバ−
１１  接続板
１２  底板
１３  袋止め用板
１４  袋挟み用リング
１５  柄
１６  接続材
１７  バネ棒
１８  バネ線
１９  シ−ト
２０  溝部分
２１  押さえ板
２２  軸受け
２３  案内板
２４  止め板
２５  爪
２６、２７  解放レバ−
２８  解放ボタン
２９  連絡線
３０、３１  案内部
３２、３３  連絡線２９の固定用ビス
３４  スプリング
３５  接続材１６の取り付けビス
３６  袋止め用板１３の取り付け板
３７  取り付け板３６の固定用ビス
３８  カバ−
３９  止め金具
４０  押さえ板２１の取り付けビス
４１  籠
４２  底板１２に設けられた突起部
４３  袋挟み用リング１４の抜け止め用ピン
４４  籠４１のフレ−ム部分
４５  籠４１の取り付け部分
【図１】
0003728599.tif 000002
【図２】
0003728599.tif 000003
【図３】
0003728599.tif 000004
【図４】
0003728599.tif 000005
【図５】
0003728599.tif 000006
【図６】
0003728599.tif 000007
【図７】
0003728599.tif 000008
【図８】
0003728599.tif 000009
【図９】
0003728599.tif 000010
【図１０】
0003728599.tif 000011
【図１１】
0003728599.tif 000012